(57)【要約】      （修正有）【課題】自転車の子供乗せに着座した子供に使用するのに好適な膝掛けとして、開いた脚に沿わせて掛けることができるとともに座った状態で簡易に固定可能で、さらに、上半身の防寒も実現できるようにする膝掛けを提供する。【解決手段】縦長のシート体からなる少なくとも使用者の肩部分までも覆う縦方向の長さと、使用者を両肩部分で巻く事ができる横方向の長さを有する膝掛けＸにおいて、脚側１１となる下縁中央から上方に向かって切り込みを形成し、上端側に上縁近傍を使用者の首から両上腕上部にかけて前から後ろ側に巻いた状態で、相向かい合う上縁の部分同士を互いに固定する固定手段を設ける。【選択図】図３
0003183094.tif 000002
【実用新案登録請求の範囲】
【請求項１】
縦長のシート体からなる少なくとも使用者の肩部分までも覆う縦方向の長さと、使用者を両肩部分で巻く事ができる横方向の長さを有する膝掛けであって、
脚側となる下縁中央から上方に向かって切り込みが形成され、上端側に上縁近傍を使用者の首から両上腕上部にかけて前から後ろ側に巻いた状態で、相向かい合う上縁の部分同士を互いに固定する固定手段が設けられた
膝掛け。
【請求項２】
前記固定手段に代えて、前記膝掛けの上端を使用者の頭部まで覆うよう伸延し、伸延した部分に使用者の頭が通る穴を設けた請求項１に記載の膝掛け。
【請求項３】
前記下縁の前記切り込みにより二分されるそれぞれの部分の両側縁に、当該両側縁を互いに固定する係合手段が設けられる請求項１又は２に記載の膝掛け。
【考案の詳細な説明】
【技術分野】
【０００１】
本考案は膝掛けに関し、特に、自転車の子供乗せに着座した子供への使用に好適な膝掛けに関する。
【背景技術】
【０００２】
冬季に自転車の子供乗せに着座した子供への寒さ対策として膝掛けを用いることがよく行なわれている。ところで、子供乗せは、後部に設置するものは通常後輪を跨ぐ形となり、子供は脚を開いた状態で着座することとなる。また、ハンドル位置に設置する子供乗せも、脚を開いた状態で着座するものが多い。しかし、脚を開いた状態で長方形の膝掛けを掛けようとしても、うまく両脚に沿わせて掛けることが難しい。これに対して、下記特許文献１から４には、脚側に位置する縁部中央から切り込みを入れた膝掛けが示されている。この膝掛けを用いると切り込みで左右に分かれるので開いた脚に沿わせて膝掛けを容易に掛けることができる。
【先行技術文献】
【特許文献】
【０００３】
【特許文献１】実開平７−１５７１４号公報
【特許文献２】特開２００７−１５４３８３号公報
【特許文献３】実用新案登録第３１１００７０号公報
【特許文献４】実公昭３９−５６３５号公報
【特許文献５】特開２００６−５２４７８号公報
【特許文献６】特開２００７−２１１３８３号公報
【特許文献７】実開昭６１−１３７６１６号公報
【考案の概要】
【考案が解決しようとする課題】
【０００４】
しかしながら、このような膝掛けを子供乗せに着座した子供に掛けて、自転車で走行すると下半身は防寒できるが上半身の前面は多く風を受けることになるので、上半身の防寒は不十分である。これに対して、特許文献５や６に記載されているような肩掛けを併用することも考えられるが、側方やお腹に風が入るので防寒としては不十分であり、両方装着するのは手間であり持ち運びや収納にも不便である。なお、特許文献７に下半身からお腹部分を覆うエプロンが示されているが、これは防寒を目的としないものでやはり側方から風が入るので防寒には不十分である。
本考案は、このような問題に鑑み、自転車の子供乗せに着座した子供に使用するのに好適な膝掛けとして、開いた脚に沿わせて掛けることができるとともに座った状態で簡易に固定可能で、さらに、上半身の防寒も実現できるようにすることを課題とする。
【課題を解決するための手段】
【０００５】
上記課題を解決するために、本考案は次のような構成を有する。
請求項１に記載の考案は、縦長のシート体からなる少なくとも使用者の肩部分までも覆う縦方向の長さと、使用者を両肩部分で巻く事ができる横方向の長さを有する膝掛けであって、脚側となる下縁中央から上方に向かって切り込みが形成され、上端側に上縁近傍を使用者の首から両上腕上部にかけて前から後ろ側に巻いた状態で相向かい合う上縁の部分同士を互いに固定する固定手段が設けられた膝掛けである。なお、「両肩部分で巻く」とはシートが完全に一周することを意味するのではなく、シートの両側のそれぞれが二の腕を回って背面側にまで達することを意味する。
請求項２に記載の考案は、前記膝掛けにおいて、前記固定手段に代えて、前記膝掛けの上端を使用者の頭部まで覆うよう伸延し、伸延した部分に頭が通る穴を設けたものである。
請求項３に記載の考案は、前記膝掛けにおいて、前記下縁の前記切り込みにより二分されるそれぞれの部分の両側縁に、当該両側縁を互いに固定する係合手段が設けられるものである。
【考案の効果】
【０００６】
以上のような構成により、本考案は次のような効果を奏する。
請求項１に記載の考案は、下端側に切れ込みが形成されることで開いた脚に沿わせて掛けることができるとともに、首から両肩回りに巻いて固定できるので着座した状態でも比較的容易に固定でき、さらに、上半身の前面を包むので上半身を十分に防寒することが可能となる。
請求項２に記載の考案は、装着する際に頭を穴に通すだけで固定できるので短時間で簡単に装着することができる。
請求項３に記載の考案は、分割下縁のそれぞれを二つ折りにした状態で固定することで前方からの風が脛部分の側方から侵入することを防止できるので、自転車で走行中における防寒性能を高めることができる。
【図面の簡単な説明】
【０００７】
【図１】実施形態に係る膝掛けの正面図である。
【図２】実施形態に係る膝掛けの背面図である。
【図３】自転車の子供乗せに着座した子供へ実施形態に係る膝掛けを装着する様子を示す斜視図である。
【図４】自転車の子供乗せに着座した子供へ実施形態に係る膝掛けを装着した様子を示す斜視図である。
【図５】実施形態の変形例に係る膝掛けの正面図である。
【図６】実施形態の変形例に係る膝掛けの背面図である。
【図７】自転車の子供乗せに着座した子供へ実施形態の変形例に係る膝掛けを装着した様子を示す斜視図である。
【図８】他の実施形態の変形例に係る膝掛けの正面図である。
【考案を実施するための形態】
【０００８】
以下、本考案の実施の形態について図を用いて説明する。
図１に本実施形態に係る膝掛けＸの正面図を示し、図２に膝掛けＸの背面図を示す。膝掛けＸは、下方が脚側、上方が胴側に掛かるように使用される。膝掛けＸは、毛布やキルトなどの保温性のあるシート体から成り、大腿部から脛を覆う下方の脚部１１と上半身を覆う上方の胴部１２とから構成される。胴部１２は想定される使用者の両腕部分を前から後方側に巻くことができるように肩幅よりも十分に大きな幅を有し、長さは脚の付け根から首に至る長さを有する長方形状に形成される。胴部１２の表面上縁近傍の左寄りにはスナップボタンの係合部１３ａが２箇所に固定されるとともに、裏面上縁近傍の左寄りにスナップボタンの被係合部１３ｂが２箇所に固定されている。
脚部１１は下縁部中央から上方に向かって切れ込み１１ａが形成されることで二つの部分に分断される。脚部１１の切れ込み１１ａにより分断された各部の表面側の内側縁下方にスナップボタンの係合部１４ａが２箇所に固定され、裏面側の外側縁下方にスナップボタンの被係合部１４ｂが２箇所に固定されている。
【０００９】
次に、以上のような構成を有する膝掛けＸの使用方法について説明する。図３に示すように自転車の子供乗せＳに着座した子供Ｃは、背中は子供乗せの背もたれに接触しており、また、脚は両側に開いている。この状態の子供Ｃに、膝掛けＸの上縁の両端を子供の首の前から後ろ側に回して、上腕の外側を巻くようにし、スナップボタンの係合部１３ａと１３ｂとを係合させることで輪を作り固定する。スナップボタンの係合部１３ａと１３ｂは子供の大きさに応じて、係合させるスナップボタンを適宜選択することできつさを調節することができる。その後、胴部１２を首の下から腹に沿わせ、さらに、脚部１１の切れ込み１１ａにより分断されたそれぞれを開いた両脚のそれぞれに沿わせる。そして、脚部１１の切れ込み１１ａにより分断された各部を二つに折って脛に巻きつけ、スナップボタンの係合部１４ａと被係合部１４ｂとを互いに係合させて固定する。図４に膝掛けＸの装着が完了した状態を示す。
以上説明したように、本実施形態に係る膝掛けＸは、使用者の両腕の外側から巻きつけるので側部からも風が入ににくく、また、座った状態のまま簡易に装着することができる。そして、脚も前方の風を受ける部分を閉じることができるので、膝掛けＸの脚部１１内に冷たい外気が進入することを防止することができる。
【００１０】
（変形例）
図５に変形例に係る膝掛けＹの正面図を示し、図６に当該膝掛けＺの背面図を示す。膝掛けＺの胴部１２は上記実施形態と同じである。膝掛けＺの脚部１１は、分割された下縁が中央から外よりがやや伸延されることで段差が設けられ、裏面の伸延された部分に面ファスナーの被係合部１４ｄが固定される。そして、表面の伸延されていない側の下端位置に面ファスナーの係合部１４ｃが固定される。このように分割下縁に伸延部を設けることで、脚に装着して分割下縁を折って縁部同士を閉じるときに伸延部が他方側の縁部に伸びるので、重ねやすい。
図７に変形例に係る膝掛けＹの使用状態を表す斜視図を示す。なお、子供乗せには、ベルトで体を椅子に固定できるものが多くあり、この場合、子供は手でハンドルを持つ必要がない。図７に示す子供乗せはこのような子供乗せであり、前腕から手を含めて上半身全体を胴部１２内に包んでいる。そして、脚部分は、脚部１１の切れ込み１１ａにより分断された各部の分割下縁を二つに折り、分割下縁に設けられている面ファスナーの係合部１４ｃと被係合部１４ｄとを互いに重ね合わせて係合固定する。これにより二つ折りにされた縁部が密着した状態で保持される。このようにひざの前で係合することで、膝掛けＹを子供から取るときに首のスナップをはずすだけで簡易に子供から取ることができる。
【００１１】
上記実施形態に係る膝掛けＸでは、首への固定を上縁を巻きつけて端部同士をスナップで固定する方法を採用しているが、図８に示す膝掛けＺのように胴部１２を上方にさらに長く伸延し、胴部の上方に首に固定する穴１２hを形成するようにすることもできる。このようにすると穴１２ｈを首に通すことで固定が完了するので早く簡単に装着することができる。なお、胴部１２は肩幅より十分に広いので、装着したあと側方に張り出す部分を両腕の外側から後ろに巻くことで側方からの風の進入を防ぐことができる。
また、上記実施形態では、胴部上方の係合手段としてスナップボタンを示しているが、係合手段は、ボタンとボタンホール、面ファスナー、線ファスナー、紐などに変更してもよい。同様に、脚側の係合手段もスナップボタン、面ファスナーの他に、ボタンとボタンホール、線ファスナー、紐などを用いることができる。
さらに、本考案に係る膝掛けは、子供乗せ自転車に着座する子供への使用に好適であるが、その他、ベビーカーや自動車のチャイルドシート、ベビーシートに着座又は仰臥している子供や、車椅子に着座する子供及び大人へ使用することもできる。
また、上記実施形態に係る膝掛けを構成するシート体表面に防水性をもたせることで、雨具としての機能も付与することができる。
【符号の説明】
【００１２】
Ｘ、Ｙ、Ｚ  膝掛け
Ｓ  子供乗せ
Ｃ  子供
１１  脚部
１１ａ  切り込み
１２  胴部
１３ａ  胴部上縁の係合部
１３ｂ  胴部上縁の被係合部
１４ａ、１４ｃ  脚部の係合部
１４ｂ、１４ｄ  脚部の被係合部
【図１】
0003183094.tif 000003
【図２】
0003183094.tif 000004
【図３】
0003183094.tif 000005
【図４】
0003183094.tif 000006
【図５】
0003183094.tif 000007
【図６】
0003183094.tif 000008
【図７】
0003183094.tif 000009
【図８】
0003183094.tif 000010